(57)【要約】【課題】利用者の現在位置に関係し、かつ、その内容が時々刻々と変化する情報を提供する情報配信システムを提供する。【解決手段】販売データ蓄積サーバは、販売端末から店舗特定情報及び販売情報を受信した場合、該店舗特定情報から、該店舗が属する地域を示す地域情報を求め、求めた地域情報を該販売情報に関連付けて蓄積し、地域別情報管理サーバは、販売データ蓄積サーバから受信する地域情報に関連付けられた各販売情報に基づき、所定期間内の各商品の販売数を示す、地域別の集計情報を更新し、情報提供サーバは、携帯端末から情報の配信要求を受信した場合、該携帯端末の属する地域を求め、地域別情報管理サーバから、該携帯端末の属する地域の集計情報を取得し、取得した集計情報から、該携帯端末の画面に表示させる表示画像データを生成し、生成した表示画像データを、該携帯端末に送信する。【選択図】図１
2009134540.tif 000002
【特許請求の範囲】
【請求項１】
販売データ蓄積サーバと、地域別情報管理サーバと、情報提供サーバと、各店舗に設置する販売端末と、携帯端末とを含む情報配信システムであって、
販売端末は、販売した商品を特定する販売情報を、該販売端末が設置されている店舗を特定する情報と共に販売データ蓄積サーバに送信し、
販売データ蓄積サーバは、各地域を示す地域情報を有しており、販売端末から、販売情報を受信した場合、共に受信する店舗を特定する情報から、該店舗が属する地域を判定し、判定した地域に対応する地域情報と、該販売情報を関連付けして蓄積し、
地域別情報管理サーバは、販売データ蓄積サーバから周期的に受信する、或いは、販売データ蓄積サーバに要求することにより受信する、地域情報に関連付けられた販売情報に基づき、各地域の所定期間内における各商品の販売数又は販売金額を示す、地域別の集計情報を更新し、
情報提供サーバは、前記地域情報を有しており、携帯端末から情報の配信要求を受信した場合、該携帯端末から取得する該携帯端末の現在位置を示す情報から、該携帯端末が属する地域を判定し、地域別情報管理サーバから、該携帯端末が属する地域の集計情報を取得し、取得した集計情報から、該携帯端末の画面に表示させる表示画像データを生成し、生成した表示画像データを、該携帯端末に送信する、
情報配信システム。
【請求項２】
各地域を示す地域情報を有する販売データ蓄積サーバと、地域別情報管理サーバと、該地域情報を有する情報提供サーバと、各店舗に設置する販売端末と、携帯端末とを含む情報配信システムにおける情報配信方法であって、
販売端末は、販売した商品を特定する販売情報を、該販売端末が設置されている店舗を特定する情報と共に販売データ蓄積サーバに送信し、
販売データ蓄積サーバは、販売端末から、販売情報を受信した場合、共に受信する店舗を特定する情報から、該店舗が属する地域を判定し、判定した地域に対応する地域情報と、該販売情報を関連付けして蓄積し、地域情報に関連付けられた販売情報を、周期的又は要求により地域別情報管理サーバに送信し、
地域別情報管理サーバは、販売データ蓄積サーバから受信する地域情報に関連付けられた販売情報に基づき、各地域の所定期間内における各商品の販売数又は販売金額を示す、地域別の集計情報を更新し、
情報提供サーバは、携帯端末から情報の配信要求を受信した場合、該携帯端末から取得する該携帯端末の現在位置を示す情報から、該携帯端末が属する地域を判定し、地域別情報管理サーバから、該携帯端末が属する地域の集計情報を取得し、取得した集計情報から、該携帯端末の画面に表示させる表示画像データを生成し、生成した表示画像データを、該携帯端末に送信する、
情報配信方法。
【発明の詳細な説明】
【技術分野】
【０００１】
本発明は、携帯端末への情報配信技術に関し、より詳しくは、携帯端末の現在位置に応じた情報を配信する技術に関する。
【背景技術】
【０００２】
携帯電話システムの発達により、その場所や時間を問わず、ネットワークに接続して種々の情報、例えば、ニュースや天気等、を取得することが可能になっている。携帯端末の利用者から見ると、取得したい情報は、利用者の現在位置に無関係な情報、例えば、株価情報等と、利用者の現在位置に関係する情報、例えば、現在位置近辺の天気予報等、に分けることができる。
【０００３】
利用者の現在位置に関係する情報を利用者に簡易に提供するために、情報配信サーバには、配信情報を位置情報に対応させて保存しておき、携帯端末が情報の配信を要求した際に、その携帯端末の位置情報を携帯端末から取得して、取得した位置情報に対応する配信情報を送信するシステムが提案されている（例えば、特許文献１、参照。）。特許文献１によると、配信情報は、情報配信サーバと接続している各情報提供者の端末から、各情報提供者が入力している。
【０００４】
【特許文献１】特開２００１−３２６９６０号公報
【発明の開示】
【発明が解決しようとする課題】
【０００５】
特許文献１は、変更頻度が少ない情報の配信を前提としており、例えば、ある地域における、ある期間の商品の売上げ数又は順位といった、配信情報の元データが時々刻々と変化する場合には適用することができない。
【０００６】
したがって、本発明は、携帯端末の利用者に、例えば、利用者が現在いる地域においてよく売れている商品についての情報といった、利用者の現在位置に関係し、かつ、その内容が時々刻々と変化する情報を提供する情報配信システム及び方法を提供することを目的とする。
【課題を解決するための手段】
【０００７】
本発明による情報配信システムは、
販売データ蓄積サーバと、地域別情報管理サーバと、情報提供サーバと、各店舗に設置する販売端末と、携帯端末とを含む情報配信システムであって、販売端末は、販売した商品を特定する販売情報を、該販売端末が設置されている店舗を特定する情報と共に販売データ蓄積サーバに送信し、販売データ蓄積サーバは、各地域を示す地域情報を有しており、販売端末から、販売情報を受信した場合、共に受信する店舗を特定する情報から、該店舗が属する地域を判定し、判定した地域に対応する地域情報と、該販売情報を関連付けして蓄積し、地域別情報管理サーバは、販売データ蓄積サーバから周期的に受信する、或いは、販売データ蓄積サーバに要求することにより受信する、地域情報に関連付けられた販売情報に基づき、各地域の所定期間内における各商品の販売数又は販売金額を示す、地域別の集計情報を更新し、情報提供サーバは、前記地域情報を有しており、携帯端末から情報の配信要求を受信した場合、該携帯端末から取得する該携帯端末の現在位置を示す情報から、該携帯端末が属する地域を判定し、地域別情報管理サーバから、該携帯端末が属する地域の集計情報を取得し、取得した集計情報から、該携帯端末の画面に表示させる表示画像データを生成し、生成した表示画像データを、該携帯端末に送信することを特徴とする。
【０００８】
本発明による情報配信方法は、
各地域を示す地域情報を有する販売データ蓄積サーバと、地域別情報管理サーバと、該地域情報を有する情報提供サーバと、各店舗に設置する販売端末と、携帯端末とを含む情報配信システムにおける情報配信方法であって、販売端末は、販売した商品を特定する販売情報を、該販売端末が設置されている店舗を特定する情報と共に販売データ蓄積サーバに送信し、販売データ蓄積サーバは、販売端末から、販売情報を受信した場合、共に受信する店舗を特定する情報から、該店舗が属する地域を判定し、判定した地域に対応する地域情報と、該販売情報を関連付けして蓄積し、地域情報に関連付けられた販売情報を、周期的又は要求により地域別情報管理サーバに送信し、地域別情報管理サーバは、販売データ蓄積サーバから受信する地域情報に関連付けられた販売情報に基づき、各地域の所定期間内における各商品の販売数又は販売金額を示す、地域別の集計情報を更新し、情報提供サーバは、携帯端末から情報の配信要求を受信した場合、該携帯端末から取得する該携帯端末の現在位置を示す情報から、該携帯端末が属する地域を判定し、地域別情報管理サーバから、該携帯端末が属する地域の集計情報を取得し、取得した集計情報から、該携帯端末の画面に表示させる表示画像データを生成し、生成した表示画像データを、該携帯端末に送信する、ことを特徴とする。
【発明の効果】
【０００９】
各販売端末から時々刻々と追加される販売情報については、一旦、販売データ蓄積サーバに蓄積し、ある地域についての販売情報の更新分、或いは、ある期間単位の販売情報を、周期的、又は、要求に基づき地域別情報管理サーバに送信し、地域別情報管理サーバにおいて集計情報の更新を行う。更に、携帯端末が情報要求をした際に、その位置情報に基づき対応地域の集計情報を取得して、携帯端末への表示画像データを作成する。この様に、多数の販売端末からのデータ収集と、最新情報への更新処理を、異なるサーバ装置にて実行させ、携帯端末からの情報要求の度に、集計情報を保持しているサーバ装置にアクセスして最新の集計情報を取得することで、常に更新されていく情報であっても、最新の情報の配信処理が可能になる。
【発明を実施するための最良の形態】
【００１０】
本発明を実施するための最良の実施形態について、以下では図面を用いて詳細に説明する。
【００１１】
図１は、本発明のシステム構成図である。図１によると、システムは、販売データ蓄積サーバ１と、地域別情報管理サーバ２と、情報提供サーバ３と、各店舗に設置する販売端末４と、携帯端末５とを備えている。販売端末４は、例えば、ＰＯＳ（Ｐｏｉｎｔ  Ｏｆ  Ｓａｌｅｓ）端末であり、設置されている店舗の販売情報を、その店舗を特定する情報と共に周期的に、或いは、売上げが発生する度に販売データサーバ１に送信する。ここで、販売情報とは、販売した商品を特定する情報と、必要に応じてその数や金額を含む情報を言う。
【００１２】
また、携帯端末５は、例えば、ＧＰＳ（Ｇｌｏｂａｌ  Ｐｏｓｉｔｉｏｎｉｎｇ  Ｓｙｓｔｅｍ）により現在位置を示す位置情報を取得する機能を有し、情報提供サーバ３に取得した位置情報を送信し、これにより、情報提供サーバ３から現在位置に対応する地域の情報を取得する。ここで、地域とは、例えば、都道府県や、関東地方等といったある地理的範囲を意味し、その区分については、あらかじめシステム側で決めておく。
【００１３】
図２は、販売データ蓄積サーバ１のブロック図である。図２によると、販売データ蓄積サーバ１は、通信処理部１１と、データ処理部１２と、データ蓄積部１３とを備えており、通信処理部１１は、各販売端末４及び地域別情報管理サーバ２との通信処理を行う。データ処理部１２は、各地域を特定する地域情報を有しており、各販売端末４から販売情報及びその店舗を特定する情報を受信した場合、店舗を特定する情報を、その店舗が属する地域を示す地域情報に変換し、受信した販売情報を地域情報に関連付けしてデータ蓄積部１３に蓄積する。なお、店舗を特定する情報の地域情報への変換は、対応関係を示すデータベースを使用することで、或いは、店舗を特定する情報に、地域を示す部分を含めることで行うことができる。
【００１４】
更に、データ処理部１２は、周期的に、或いは、地域別情報管理サーバ２から要求があった際に、地域情報に関連付けられた販売情報を地域別情報管理サーバ２に送信する。送信する販売情報は、前回の送信からの追加分であっても、例えば、過去１週間分といったある期間内のものであっても良い。
【００１５】
図３は、地域別情報管理サーバ２のブロック図である。図３によると、地域別情報管理サーバ２は、通信処理部２１と、集計処理部２２と、地域別データ蓄積部２３とを備えており、通信処理部２１は、販売データ蓄積サーバ１及び情報提供サーバ３との通信処理を行う。集計処理部２２は、周期的に販売データ蓄積サーバ１から送信される、或いは、地域を指定して販売データ蓄積サーバ１に要求した、その地域の販売情報に基づき、過去一定期間の各商品の販売数又は販売金額を地域別に集計した、各地域の集計情報を更新して、地域別データ蓄積部２３に蓄積する。
【００１６】
また、通信処理部２１は、情報提供サーバ３より集計情報要求を受信した場合、該要求に含まれる地域情報に対応する地域の集計情報を、情報提供サーバ３に送信する。
【００１７】
図４は、情報提供サーバ３のブロック図である。図４によると、情報提供サーバ３は、通信処理部３１と、表示データ生成部３２と、位置情報処理部３３とを備えており、通信処理部３１は、地域別情報管理サーバ２及び携帯端末５との通信処理を行う。位置情報処理部３３は、地域情報を有しており、携帯端末５から携帯端末５の現在位置を示す位置情報を取得し、取得した位置情報から、携帯端末５の現在位置に対応する地域を判定して、判定した地域を示す地域情報を地域別情報管理サーバ２に送信し、判定した地域に対応する集計情報を、地域別情報管理サーバ２から取得する。
【００１８】
表示データ生成部３２は、地域別情報管理サーバ２から取得する、携帯端末５が現在いる地域の集計情報に基づき、例えば、図５に示す様な、携帯端末５の液晶画面に表示させる表示画像データを生成して、携帯端末５に送信し、携帯端末５は、取得した表示画像データに基づき画面表示を行う。
【００１９】
以上、各販売端末４から時々刻々と追加される販売情報については、一旦、販売データ蓄積サーバ１に蓄積し、ある地域についての販売情報の更新分、或いは、ある期間単位の販売情報を、周期的、又は、要求に基づき地域別情報管理サーバ２に送信し、地域別情報管理サーバ２において情報の更新処理、本実施形態においては集計処理を行う。更に、携帯端末５が情報要求をした際に、その位置情報に基づき対応地域の集計情報を取得して、携帯端末５への表示画像データを作成する。この様に、多数の販売端末４からのデータ収集と、最新情報への更新処理を、異なるサーバ装置にて実行させ、携帯端末５からの情報要求の度に、集計情報を保持しているサーバ装置にアクセスして最新の集計情報を取得することで、常に更新されていく情報であっても、最新の情報の配信処理が可能になる。
【００２０】
また、本実施形態にて示した様に、各商品の販売数又は販売金額を集計の単位とすることで、今いる地域での売れ筋商品を携帯端末５の利用者に素早く提供することができる。なお、この場合には、販売情報として商品の区分、例えば、飲料、菓子等を含め、地域別情報管理サーバ２において、地域別及び商品区分別の集計を行うことで、商品の区分別の売れ筋商品を提供することができる。この場合には、携帯端末５の利用者は、情報提供サーバ３に対して商品区分を通知し、情報提供サーバ３は、その商品区分に対応する集計情報を地域別情報管理サーバ２から取得する。
【図面の簡単な説明】
【００２１】
【図１】本発明のシステム構成図である。
【図２】販売データ蓄積サーバのブロック図である。
【図３】地域別情報管理サーバのブロック図である。
【図４】情報提供サーバのブロック図である。
【図５】表示画像データを示す図である。
【符号の説明】
【００２２】
１  販売データ蓄積サーバ
２  地域別情報管理サーバ
３  情報提供サーバ
４  販売端末
５  携帯端末
１１、２１、３１  通信処理部
１２  データ処理部
１３  データ蓄積部
２２  集計処理部
２３  地域別データ蓄積部
３２  表示データ生成部
３３  位置情報処理部
【図１】
2009134540.tif 000003
【図２】
2009134540.tif 000004
【図３】
2009134540.tif 000005
【図４】
2009134540.tif 000006
【図５】
2009134540.tif 000007